(57)【要約】【課題】ペットの買主が留守中にもペットの糞尿を自動的且つ、衛生的に処理できる装置を提供するを提供すること。【解決手段】少なくとも吸収シート層１１′の下方に防水シート層１１′が配置された処理シート３が水平配置部２に水平に配置され、前記処理シート３を巻取る巻取り手段により所定タイミングで、且つ、ロールの形態で巻取り、更に、取り外せるようにした。【選択図】    図１
2005040016.tif 000002
【特許請求の範囲】
【請求項１】
少なくとも吸収シート層の下方に防水シート層が配置された処理シートが水平配置部に水平に配置され、前記処理シートを巻取る巻取り手段により所定タイミングで巻取るようにしたことを特徴とするペット用トイレ装置。
【請求項２】
前記巻取り手段で巻き取られた処理シートをロールの形態で取り外せるようになっている請求項１に記載のペット用トイレ装置。
【請求項３】
前記処理シートは、前記水平配置部を挟んで前記巻取り手段と対峙してロール状に積層されて配置されている請求項１又は請求項２に記載のペット用トイレ装置。
【請求項４】
前記巻取り手段の軸は、前記水平配置部に対して、上下に昇降可能になっている請求項１ないし請求項３のいずれかに記載のペット用トイレ装置。
【請求項５】
前記巻取り手段の軸は、スプリングによって前記水平配置部方向へ付勢されている請求項４に記載のペット用トイレ装置。
【請求項６】
前記巻取り手段の軸周辺には、縮径可能なロールバーが取り外し可能なスペースバーによって、拡径された状態で装着されている請求項４又は請求項５に記載のペット用トイレ装置。
【請求項７】
前記水平配置部の前記処理シートの滑走面には摩擦低減用シートが固着されている請求項１ないし６のいずれかに記載のペット用自動トイレ装置。
【発明の詳細な説明】
【０００１】
【発明の属する技術分野】
本発明は、自動的にペットの糞尿を処理するペット用トイレ装置に関する。
【０００２】
【従来の技術】
従来、ペットの糞尿を処理するには、ペットの習性（以前に排便、排尿を行なった同じ場所に排便、排尿を行なう習性）を利用して、買主が居住内の一定の場所を決めて排泄するようにペットに覚えこませ、定期的に処理するか、ペットの食事の後すぐに散歩に連れ出して屋外で排便を行なわせ、その排便の後始末を行なうことが一般的であり、いずれの方法も、買主が排便、排尿場所を衛生的に管理し、衛生的環境を守るように心がけ、買主自ら片付けるのがマナーとして定着している。
【０００３】
このような処理方法をより衛生的に行なうために、居住内での糞尿の処理を行なうペット用トイレシートや、屋外では買主の手を汚さずに糞の処理を行なう携帯用糞回収器等が商品化又は考案されている。（例えば、特許文献１参照）
【０００４】
【特許文献１】
特開２００２−１１２６５８号公報
【０００５】
【発明が解決しようとする課題】
しかしながら、最近では、ペットを飼うことで心の癒しを求める働く独身者や、ペットを飼っている家族の全員が仕事や学校に出かけてしまう、特にマンション住まいの家庭が増え、このような家では、昼間の部屋の中にはペットのみが居残る状況となっており、部屋中がペットの糞尿の臭いで充満してしまう状況があった。このような状況下で、買主が帰宅すると、買主はこの糞尿の臭いで不愉快な気持ちになるばかりか、ペットの居残る居住内は不衛生な環境の温床にもなっていた。
【０００６】
また、買主が数日の旅行等に出かける場合には、ペットをペットホテルに預けたり、引き取りに行ったりと面倒な事ばかりか、その費用も高額になることから、ペットを家に残して旅行に出かけると、糞尿による住居内の汚れが気になり、気楽に出かけることも容易でなかった。
【０００７】
本発明は、このような問題点に着目してなされたもので、ペットの買主が留守中にもペットの糞尿を自動的且つ、衛生的に処理できる装置を提供することを目的とする。
【０００８】
【課題を解決するための手段】
上記課題を解決するために、本発明のペット用トイレ装置は、少なくとも吸収シート層の下方に防水シート層が配置された処理シートが水平配置部に水平に配置され、前記処理シートを巻取る巻取り手段により所定タイミングで巻取るようにしたことを特徴としている。
この特徴によれば、ペットの糞尿は上方の吸収シート層に貯留されるとともに、下方の防水シート層で密封されるように巻き取られるため、糞尿の臭いが居住内に漏れ出さないばかりか、所定タイミングの巻取りで、居住内にペットの糞尿が放置されないため、不衛生な室内環境が生じない。
【０００９】
本発明のペット用トイレ装置は、前記巻取り手段で巻き取られた処理シートをロールの形態で取り外せるようになっていることが好ましい。
このようにすれば、前記処理シートがロールの形態に巻き取られているため、処理シートの表面が常に防水シート層になり、糞尿で手を汚すことなく衛生的に処理シートを外すことができる。
【００１０】
本発明のペット用トイレ装置は、前記処理シートが、前記水平配置部を挟んで前記巻取り手段と対峙してロール状に積層されて配置されていることが好ましい。
このようにすれば、糞尿が付着した前記処理シートが前記巻取り手段に巻き取られるたびに、対峙するロール状に積層された前記処理シートを前記水平配置部へ連続的に送り出すことができるため、前記水平配置部には、前記巻取り手段が作動するたびに、常に新しい前記処理シートが提供できる。
【００１１】
本発明のペット用トイレ装置は、前記巻取り手段の軸は、前記水平配置部に対して、上下に昇降可能になっていることが好ましい。
このようにすれば、前記巻取り手段により巻き取られた前記処理シートの径の厚みを前記巻取り手段の軸の上下動で対応できるため、前記処理シートの巻き取り量に左右されることなく、前記処理シートの巻取りが可能になる。
【００１２】
本発明のペット用トイレ装置は、前記巻取り手段の軸がスプリングによって前記水平配置部方向へ付勢されていることが好ましい。
このようにすれば、ペットの糞は、前記水平配置部と、スプリングによって加えられた前記巻取り手段の軸と、の押圧によって、常に力を加えられながら巻き取られるため、ペットの糞は押しつぶされ、前記処理シートの径はコンパクトな巻取りが可能になるとともに、前記処理シート内の糞尿の密封状態はさらに向上する。
【００１３】
本発明のペット用トイレ装置は、前記巻取り手段の軸周辺には、縮径可能なロールバーが取り外し可能なスペースバーによって、拡径された状態で装着されていることが好ましい。
このようにすれば、巻取られた前記処理シートをロールバーより取り外す時に、拡径状態で装着されているスペースバーを取り外すと、ロールバーは縮径するため、前記処理シートとロールバーとの間に緩みが発生し、前記処理シートを容易に取り外しできる。
【００１４】
本発明のペット用トイレ装置は、前記水平配置部の前記処理シート滑走面に摩擦低減用シートが固着されていることが好ましい。
このようにすれば、スプリングによる押圧やペットの糞の重量により発生する前記処理シートの滑走面への摩擦を前記摩擦低減シートにより、前記水平配置部に対して低減できるため、前記巻取り手段によってスムースな巻取りが可能になるとともに、駆動装置への負荷も低減できる。
【００１５】
【発明の実施の形態】
以下、本発明の実施例を図面に基づいて説明すると、まず図１には本発明の実施例としてのペット用トイレ装置１の斜視図が示されており、水平配置部２の一方端部に処理シート３の巻取り手段４と、駆動伝達装置５を有する駆動装置６と、タイマー内蔵制御装置７と、脱臭装置８と、感知装置９と、を内包する巻取り手段カバー１０と、他方端部に吸水シートロール１１と、防水シートロール１２と、を内包するロールシート保護カバー１３と、から構成されている。
【００１６】
図２（ａ）は、ペット用トイレ装置１の一部が破断された側面図、図２（ｂ）は、ペット用トイレ装置１の一部が破断された平面図であり、本実施例のペットの糞尿処理過程が示されており、図２（ａ）は、前記巻取り手段カバー１０内のアーム１５ａとスプリング１６ａとを有する巻取り手段の軸１４とが示され、ロールシート保護カバー１３内のアーム１５ｂとスプリング１６ｂとを有する吸水シートロール１１と、アーム１５ｃとスプリング１６ｃとを有する防水シートロール１２と、が示されている。
【００１７】
図１、図２（ａ）、（ｂ）について詳細に説明すると、ペットが排便、排尿した前記水平配置部２上の糞１７、尿１８は、感知装置９によって感知されると、感知された信号等がタイマー内蔵制御装置７に伝えられ、このタイマー内蔵制御装置７はモーター電源をＯＮにする。
【００１８】
このモーター電源のＯＮによって駆動する駆動装置６は、処理シート３の巻取りを行う駆動力（回転力）を後述する駆動伝達装置５を介して巻取り手段の軸１４に伝え、自動的に巻き取りは開始され、前記糞１７、尿１８のついた処理シート３は、図２（ａ）、（ｂ）に示されている矢印の方向に進み、巻取り手段の軸１４にロールの形態で巻き取られる。
【００１９】
一方、前記水平配置部２を挟んで前記巻取り手段４と対峙して、ロール状に積層され、配置されている吸水シートロール１１と防水シートロール１２の吸水シート層１１′と防水シート層１２′から構成される前記処理シート３は、図２（ａ）、（ｂ）に示されている矢印の方向に繰り出され、次回、感知装置４又は、タイマー内蔵制御装置７が作動するまで、前記水平配置部２上に載置される。
【００２０】
なお、本実施例では処理シート３は、吸水シート層１１′と、防水シート層１２′と、は別々に装着するようになっているが、吸水シート層１１′と、防水シート層１２′と、が上下に合体された二重シート層を使用することも可能である。
【００２１】
上述の構造から、ペットの前記糞１７、尿１８は上方の吸水シート層１１′に貯留されるとともに、下方の防水シート層１２′で密封されるように巻き取られるため、糞尿の臭いが居住内に漏れ出さないばかりか、所定タイミングの巻取りで、居住内にペットの前記糞１７、尿１８が放置されないため、不衛生な室内環境が生じることがない。
【００２２】
さらに、前記処理シート３がロールの形態に巻き取られているため、処理シート３の表面が常に防水シート１２層′になり、前記糞１７、尿１８で手を汚すことなく衛生的に処理シートを外すことができる。
【００２３】
前記糞１７、尿１８が付着した前記処理シート３が前記巻取り手段の軸１４（例えば、巻取りロール）に巻き取られるたびに、対峙するロール状に積層された吸水シート層１１′と、防水シート層１２′と、を前記水平配置部２へ連続的に繰り出すことができるため、前記水平配置部２には、前記巻取り手段４が作動するたびに、常に新しい前記処理シート３が提供できる。
【００２４】
図２（ａ）、（ｂ）には、アーム１５ａとスプリング１６ａとを有する巻取り手段の軸１４とが示されているが、アーム１５ａは、前記水平配置部２の側面の所定位置と、巻取り手段の軸１４の軸心１９と、の双方に回動自在に取り付けられており、前記水平配置部２の側面の所定位置を支点として、巻取り手段の軸１４に巻き取られた前記処理シート３の径の厚みに応じて、前記巻取り手段の軸１４が前記水平配置部２に対して上下動するようになっている。
【００２５】
又、スプリング１６ａは、前記アーム１５ａの軸心１９近傍と前記水平配置部２の側面に取り付けられており、このスプリング１６ａの牽引力により、前記巻取り手段の軸１４が前記水平配置部２方向へ押圧されるようになっている。
【００２６】
図３（ａ）、（ｂ）は、前記巻取り手段の軸１４に前記処理シート３が巻き取られた断面図が示されており、前述したアーム１５ａと、スプリング１６ａとを有する前記巻取り手段の軸１４と、前記処理シート３、前記糞１７、尿１８と、摩擦低減シート２０と、から構成されており、前記巻取り手段の軸１４には前記軸心１９を構成する駆動軸２１と、この駆動軸２１の駆動力（回転力）を前記巻取り手段の軸１４に確実に伝達するための駆動受片２２と、から構成されている。
【００２７】
なお、前記水平配置部２の前記処理シート３の滑走面、つまり、前記巻取り手段の軸１４に巻取られた処理シート３と前記水平配置部２との接地面から、吸水シートロール１１と、防水シートロール１２と前記水平配置部２との接地面までを摩擦低減シート２０で被覆、若しくは一部に固着することで、スプリングによる押圧やペットの前記糞１７の重量や前記処理シート３の素材に起因する摩擦係数が、前記水平配置部２に対して低減できるため、前記巻取り手段４によってスムースな巻取りが可能になるとともに、駆動装置６への負荷も低減できる。又、前記水平配置部２の上面の全面に前記摩擦低減シート２０を被覆しても良い。
【００２８】
上記の構成により、駆動軸２１の駆動力（回転力）によって矢印Ｂ方向へ巻き取られる前記処理シート３上のペットの前記糞１７、尿１８は、図３（ａ）の矢印Ａの方向へと進み、一方、前記スプリング１６ａの牽引力が、アーム１５ａを介して前記巻取り手段の軸１４に伝えられ、この前記巻取り手段の軸１４による押圧によって、前記糞１７が常に力を加えられながらと巻き取られ、図３（ｂ）に示すように前記処理シート３内には押しつぶされた状態で密封される。
【００２９】
図４には、図３（ａ）、（ｂ）の状態から感知装置９、又は、タイマー内蔵制御装置７が作動し、前記処理シート３が幾重にも重なった前記処理シート３の多重の層の断面が示されており、その構成は図３（ａ）、（ｂ）と同じであるため、説明を省略する。
【００３０】
図３（ａ）、（ｂ）、及び、図４に示されたように、軸心１９と前記水平配置部２との距離が、巻き取られる前記処理シート３の量と前記糞１７の量とによって、少しずつ離れており、これは、前記巻取り手段の軸１４が前記水平配置部２に対して上下動するように構成されているからである。
【００３１】
つまり、前記巻取り手段４により巻き取られた前記処理シート３の径の厚みを前記巻取り手段の軸１４の上下動で対応しているため、前記処理シート３の巻き取り量に左右されることなく、前記処理シート３の巻取りが可能になる。
【００３２】
図５（ａ）、（ｂ）には、駆動伝達装置５の側面図が示されており、該駆動伝達装置５は、プーリ２５を有する駆動装置６と、プーリ２６を有する巻取り手段の軸１４と、ベルト３１と、先端部にベルト押圧部２８を有し後端部よりバネ２９に付勢されているベルト調整部３０と、から構成されており、駆動装置６の駆動力（回転力）は、矢印の方向へと回転し、プーリ２５とプーリ２６とに張設されたベルト３１を介して巻取り手段の軸１４へと伝達される。
【００３３】
しかしながら、前述したように、前記巻取り手段４（図１参照）により巻き取られた前記処理シート３の径の厚みを前記巻取り手段の軸１４の上下動で対応しているため、前記処理シート３が巻き取られる度に、前記巻取り手段の軸１４は上方へとせり上がり、このせり上がりとともにベルト３１の張りに撓みが生じる。
【００３４】
このベルト３１の張りの撓みを、解消するために、ベルト調整部３０が設けられており、図５（ｂ）に示されているように、前記処理シート３が次々と巻き取られ、前記巻取り手段の軸１４の上昇に伴い、前記ベルト調整部３０のベルト押圧部２８がバネ２９の付勢力により、ベルト３１の全長の張りを当初の張りに戻るまでベルト３１を押圧し、前記駆動力（回転力）の減衰を防止する。
【００３５】
ベルト調整部３０のベルト押圧部２８とベルト３１との関係は、ベルト３１が当初、プーリ２５とプーリ２６とに張設された時からバネ２９の付勢力（矢印方向）によって、ベルト押圧部２８がベルト３１に対して常に押圧しており、このため、前記巻取り手段の軸１４の上下動に伴う、ベルト３１の僅かな撓みにも反応できるようになっている。
【００３６】
なお、前記処理シート３の取付、又は、巻き取られた前記処理シート３を廃棄処理するために巻取り保護カバー１０を取り外すには、破線で示されている駆動装置６のカバーの所定側面に設けられた蓋３２の上方を開口し、プーリ２５に張設されているベルト３１を取り外すことで可能になる。
【００３７】
本実施例では、上記の駆動伝達装置５は、プーリ２５とプーリ２６とベルト３１とで構成されているが、確実な駆動力（回転力）の伝達が達成できれば、歯車や、チェーンベルトを使用しても良い。
【００３８】
図６は、本実施例の巻取り手段の軸１４の一部破談の平面図、図７は本実施例の巻取り手段の軸１４の斜視図であり、巻取り手段の軸１４の構成は、図３（ａ）、（ｂ）、で説明したように、前記軸心１９を構成する駆動軸２１と、該駆動軸２１の駆動力（回転力）を前記巻取り手段の軸１４に確実に伝達するための駆動受片２２と、から構成されており、前記軸心１９の両端部には、アーム１５ａと図示していないスプリングとが回動自在に取り付けられており、アーム１５ａの離脱を防止するためのピン３５が設けられている。
【００３９】
又、図６の上方には、前述したプーリ２６にベルト３１が取り付けられた状態が示されており、図７には、前記処理シート３が巻取り手段の軸１４の表面に粘着テープ等で固着された状態が示されている。
【００４０】
前記処理シート３を巻取り手段の軸１４の表面に取り付ける手順について、説明すると、吸水シートロール１１より吸水シート層１１′と防水シートロール１２より防水シート層１２′との端部を防水シート層１２′が常に下方になるように引き出し、該両シートを前記水平配置部２上と巻取り手段の軸１４の下方とを通過するように敷設し、該両シートの端部を巻取り手段の軸１４の表面に粘着テープ等で固着する。又、巻取り手段の軸１４に前記処理シート３の端部を取り付ける方法として既存の取付手段を前記巻取り手段の軸１４に固着することも可能である。
【００４１】
本実施例の巻取り手段の軸１４の場合、上記の手順で行うと、処理シート３の表面が常に防水シート層１２′になり、糞尿の臭いが居住内に漏れ出さないばかりか、処理シート３が巻き終了か、又は、巻き途中の処分時には、処理シート３を巻取り手段の軸１４ごと巻取り手段４から外すことができるため、糞尿で手を汚すことなく、衛生的に廃棄処理することができる。なお、巻取り手段の軸１４の素材は、硬質紙等を使用することで、耐久性と経済性にも富んだ製品が提供できる。
【００４２】
図８（ａ）、（ｂ）、（ｃ）には、巻取り手段の軸の別の実施例に前記処理シート３が巻き取られた断面図が示されており、いずれの図面においても、巻取り手段の軸４０は、ロールバー４１と、ロールバー４１′と、バネ４２と、スペースバー４３と、駆動軸２１、駆動軸受け２２と、から構成されており、前記ロールバー４１と、前記ロールバー４１′とは、バネ４２の力によって縮径可能に取り付けられており、さらに、取り外し可能なスペースバー４３によって、拡径された状態で装着されている。なお、拡径された巻取り手段の軸４０の形状は、巻取り手段の軸４０の回転が滑らかになるように、より真円が好ましい。
【００４３】
図８（ａ）に示されているように、前記ロールバー４１と、前記ロールバー４１′と、に前記スペースバー４３を取り付けるときは、前記処理シート３の端部を前記ロールバー４１とスペースバー４３とで狭持するように取り付ける。
【００４４】
このように取り付けると、図８（ｂ）に示されているように、前記ロールバー４１と、前記ロールバー４１′と、の狭持部４４に係る矢印方向の力によって、前記処理シート３の端部が、前記巻取り手段の軸４０より離脱しないため、駆動軸２１の駆動力（回転力）が衰えることなく前記処理シート３に伝わり、前記処理シート３の巻取りが可能になる。
【００４５】
図８（ｃ）には、本実施例の前記巻取り手段の軸４０に巻き取られた前記処理シート３の廃棄方法が示されており、前記巻取り手段の軸４０からロールバー４１と、ロールバー４１′と、バネ４２と、スペースバー４３と巻き取られた前記処理シート３と、が一体となったロール体を取り外し、次に、拡径状態で装着されているスペースバー４３を前記ロール体の内側に押し込むようにすると、スペースバー４３はロールバー４１と、ロールバー４１′との狭持部４４より外れ、ロールバー４１と、ロールバー４１′と、はバネ４２の力によって縮径される。
【００４６】
次に、縮径された前記ロール体には、前記処理シート３とロールバー４１と、ロールバー４１′との間に緩みが発生し、前記処理シート３を容易に取り外しできる。
【００４７】
図９（ａ）、（ｂ）には、図８（ａ）、（ｂ）（ｃ）に示した巻取り手段の軸４０の別の実施例の断面図が示されており、巻取り手段の軸４５は、ロールバー４６と、狭持部４８、弾性体部４７と、スペースバー４３と、駆動軸２１、駆動軸受け２２と、から構成されており、該ロールバー４６の両端部は、互いが対峙するように狭持部４８を形成し、その外周断面は円形状をなしている。
【００４８】
すなわち、該狭持部４８と対向する位置に弾性体部４７が形成されているため、図９（ａ）に示されている矢印の方向に力が加わり、スペースバー４３を狭持する力となっている。
【００４９】
図９（ａ）に示されているように、前記ロールバー４６に前記スペースバー４３を取り付けるときは、前記処理シート３の端部を前記ロールバー４６とスペースバー４３とで狭持するように取り付ける。
【００５０】
このように取り付けると、前記ロールバー４６の狭持部４６にかかる矢印方向の力によって、前記処理シート３の端部が、前記巻取り手段の軸４５より離脱しないため、駆動軸２１の駆動力（回転力）が衰えることなく前記処理シート３に伝わり、前記処理シート３の巻取りが可能になる。
【００５１】
図９（ｂ）には、本実施例の前記巻取り手段の軸４５に巻き取られた前記処理シート３の廃棄方法が示されており、前記巻取り手段の軸４５からロールバー４６、弾性体部４７と、スペースバー４３と、巻き取られた前記処理シート３と、が一体となったロール体を取り外し、次に、スペースバー４３を前記ロール体の内側に押し込むようにすると、スペースバー４３はロールバー４５の狭持部４８より外れ、ロールバー４６は弾性体部４７の力によって縮径される。
【００５２】
次に、縮径された前記ロール体は、前記処理シート３とロールバー４５との間に緩みが発生し、前記処理シートを容易に取り外しできる。
【００５３】
又，前述の図８（ａ）、（ｂ）（ｃ）の狭持部４４と図９（ａ）、（ｂ）の、狭持部４８とは、スペースバー４３を取り外した時、いずれも、僅かな隙間ができるように構成されているため、前記処理シート３の端部の取り外しを容易に行うことができる。
【００５４】
前記巻取り手段の軸４０、及び前記巻取り手段の軸４５に巻き取られた前記処理シート３も、前記処理シート３がロールの形態に巻き取られているため、前記処理シート３の表面が常に防水シート１２層′になり、前記糞１７、尿１８で手を汚すことなく衛生的に前記処理シート３を外すことができる。
【００５５】
又、図８（ａ）、（ｂ）（ｃ）、及び、図９（ａ）、（ｂ）において、図示していない駆動伝達装置、スプリングと破線で示したアームについては、図３（ａ）、（ｂ）と同様に構成されているので、ここでは、その構成、及び、その効果の説明を省略する。
【００５６】
図８（ａ）、（ｂ）（ｃ）、の巻取り手段の軸４０、及び、図９（ａ）、（ｂ）の巻取り手段の軸４５の素材は、硬質紙よりも、強化樹脂製か金属製が好ましく、このようにすると、耐久性と弾性体の効果とが持続し、繰り返し利用することができるからである。
【００５７】
以上、本発明の実施例を図面により説明してきたが、具体的な構成はこれら実施例に限られるものではなく、本発明の要旨を逸脱しない範囲における変更や追加があっても本発明に含まれる。
【００５８】
例えば、本実施例では、吸収シートを防水シートの上方に載置したが、吸収シートの効果をそのまま生かすことが可能であれば、滅菌、殺菌シートを用いても良く、このようにすることで、より衛生的な室内環境を保持することができる。
【００５９】
例えば、本実施例では、巻取り手段の軸を、前記水平配置部に対して、上下に昇降可能にするために、アームを利用したが、巻取り手段の軸を上下に昇降可能にする柱状のガイドを巻取り手段の軸の両側に配設しても良い。
【００６０】
例えば、本実施例では、巻取り手段の軸を軸支するアームに、スプリングを取り付けて、水平配置部方向へ付勢していたが、巻取り手段の軸に直接取り付けても可能である。
【００６１】
例えば、感知装置によって、糞尿が感知され、タイマー内蔵制御装置７が作動していたが、感知装置は、上記ばかりでなく、例えば、重量感知装置により、ペットが水平配置部に乗降したのを感知し、作動開始の信号を送ることも可能であり、又、処理シートの巻取り量を制御するための感知装置としても、利用することも可能である。
【００６２】
【発明の効果】
本発明は以下の効果を奏する。
【００６３】
（ａ）請求項１項の発明によれば、ペットの糞尿は上方の吸収シート層に貯留されるとともに、下方の防水シート層で密封されるように巻き取られるため、糞尿の臭いが居住内に漏れ出さないばかりか、所定タイミングの巻取りで、居住内にペットの糞尿が放置されないため、不衛生な室内環境が生じない。
【００６４】
（ｂ）請求項２項の発明によれば、前記処理シートがロールの形態に巻き取られているため、処理シートの表面が常に防水シート層になり、糞尿で手を汚すことなく衛生的に処理シートを外すことができる。
【００６５】
（ｃ）請求項３項の発明によれば、糞尿が付着した前記処理シートが前記巻取り手段に巻き取られるたびに、対峙するロール状に積層された前記処理シートを前記水平配置部へ連続的に送り出すことができるため、前記水平配置部には、前記巻取り手段が作動するたびに、常に新しい前記処理シートが提供できる。
【００６６】
（ｄ）請求項４項の発明によれば、前記巻取り手段により巻き取られた前記処理シートの径の厚みを前記巻取り手段の軸の上下動で対応できるため、前記処理シートの巻き取り量に左右されることなく、前記処理シートの巻取りが可能になる。
【００６７】
（ｅ）請求項５項の発明によれば、ペットの糞は、前記水平配置部と、スプリングによって加えられた前記巻取り手段の軸と、の押圧によって、常に力を加えられながら巻き取られるため、ペットの糞は押しつぶされ、前記処理シートの径はコンパクトな巻取りが可能になるとともに、前記処理シート内の糞尿の密封状態はさらに向上する。
【００６８】
（ｆ）請求項６項の発明によれば、巻取られた前記処理シートをロールバーより取り外す時に、拡径状態で装着されているスペースバーを取り外すと、ロールバーは縮径するため、前記処理シートとロールバーとの間に緩みが発生し、前記処理シートを容易に取り外しできる。
【００６９】
（ｇ）請求項７項の発明によれば、スプリングによる押圧やペットの糞の重量により発生する前記処理シートの滑走面への摩擦を前記摩擦低減シートにより、前記水平配置部に対して低減できるため、前記巻取り手段によってスムースな巻取りが可能になるとともに、駆動装置への負荷も低減できる。
【図面の簡単な説明】
【図１】本発明のペット用トイレ装置に適用されたペット用トイレ装置１の斜視図である。
【図２】（ａ）は、ペット用トイレ装置１の一部が破断された側面図である。
（ｂ）は、ペット用トイレ装置１の一部が破断された上面図である。
【図３】（ａ）は、巻取り手段の軸１４に処理シート３が巻き取られた状態を示す断面図である。
（ｂ）は、巻取り手段の軸１４により多くの処理シート３が巻き取られた状態を示す断面図である。
【図４】更に多くの処理シート３が巻き取られた状態を示す断面図である。
【図５】（ａ）は、駆動伝達装置５とベルトベルト調整部３０の側面図である。
（ｂ）は、ベルト調整部３０がベルト３１の張りを調整している状態を示す側面図である。
【図６】巻取り手段の軸１４の一部破談の上面図である。
【図７】巻取り手段の軸１４の斜視図である。
【図８】（ａ）は、巻取り手段の軸の別の実施例に前記処理シート３が巻き取られ始めた状態を示す断面図である。
（ｂ）は、巻取り手段の軸の別の実施例に前記処理シート３がより多く巻き取られた状態を示す断面図である。
（ｃ）は、巻取り手段の軸の別の実施例に前記処理シート３が更に多く巻き取られた状態を示す断面図である。
【図９】（ａ）は図８の巻取り手段の軸の別の実施例の断面図である。
（ｂ）は図８の巻取り手段の軸の別の実施例の断面図である
【符号の説明】
１    ペット用トイレ装置
２    水平配置部
３    処理シート
５    駆動伝達装置
６    駆動装置
７    タイマー内蔵制御装置
８    脱臭装置
９    感知装置
１０    巻取り手段保護カバー
１１    吸水シートロール
１１′    吸水シート層
１２    防水シートロール
１２′    防水シート層
１３    ロールシート保護カバー
１４    巻取り手段の軸
１５ａ    アーム
１５ｂ    アーム
１５ｃ    アーム
１６ａ    スプリング
１６ｂ    スプリング
１６ｃ    スプリング
１７    糞
１８    尿
１９    軸心
２０    摩擦低減シート
２１    駆動軸
２２    駆動受片
２５    プーリ
２６    プーリ
２８    ベルト押圧部
２９    バネ
３０    ベルト調整部
３１    ベルト
３２    蓋
３５    ピン
４０    巻取り手段の軸
４１    ロールバー
４２    バネ
４３    スペースバー
４４    狭持部
４５    巻取り手段の軸
４６    ロールバー
４７    弾性体部
４８    狭持部
【図１】
2005040016.tif 000003
【図２】
2005040016.tif 000004
【図３】
2005040016.tif 000005
【図４】
2005040016.tif 000006
【図５】
2005040016.tif 000007
【図６】
2005040016.tif 000008
【図７】
2005040016.tif 000009
【図８】
2005040016.tif 000010
【図９】
2005040016.tif 000011